(57)【要約】【課題】天井裏のような狭い空間に位置する横架材と柱の接合個所に対しても簡単に取り付けることができる補強金物（引き抜き抵抗金物）の提供。【解決手段】横架材側部材９と柱側部材１０を備える。横架材側部材９は、横架材１に固定する水平部１３と、水平部１３から直角に延びる結合部１４を有する。柱側部材１０は、垂直部１７と、垂直部１７から側方へ距離をあけて張り出す腕部１８を有する。横架材側部材９と柱側部材１０を、横架材側の結合部１４を腕部１８にボルト１１・ナット１２で連結することにより取り付けてある。【選択図】図２
0003123531.tif 000002
【実用新案登録請求の範囲】
【請求項１】
木造軸組み住宅において横架材と柱の接合部を補強するための補強金物であって、横架材側部材と柱側部材からなり、横架材側部材は、横架材へ固定する水平部と、水平部の一面から直角に形成された結合部を有し、柱側部材は、柱へ固定する垂直部と、垂直部の長軸方向一端部から側方に張り出す腕部を有し、結合部と腕部の先端部を重ねて回転可能に軸支して横架材側部材と柱側部材を連結し、水平部と、結合部及び腕部と、垂直部を互いに直角に配置してあることを特徴とした補強金物。
【請求項２】
横架材側部材における水平部は、結合部の両側に張り出していることを特徴とした請求項１に記載の補強金物。
【請求項３】
垂直部を柱へ固定するためのねじ孔が、垂直部の長軸方向で腕部と反対側の他端寄りに形成されていることを特徴とした請求項１または２に記載の補強金物。
【請求項４】
横架材側部材と柱側部材は、垂直とした柱側部材に対して横架材側部材が水平位置から４５°以上傾斜しないように、腕部の一部が水平部の裏面に当接する配置となっていることを特徴とする請求項１〜３のいずれか一つに記載の補強金物。
【考案の詳細な説明】
【技術分野】
【０００１】
本考案は、木造軸組み住宅において、主として横架材と柱との接合個所を補強する補強金物に関する。
【背景技術】
【０００２】
従来、木造軸組み住宅において、横架材と柱のように直交する構造材の接合個所には種々の耐震補強金物が用いられている。柱が横架材から引き抜かれるのを防止する引き抜き抵抗金物もその一つである（特許文献１及び特許文献２参照）。
このような金物は、ほとんどが新築の際に取り付けることを前提としており、既存の木造住宅の耐震補強工事に用いにくいことがある。
【０００３】
すなわち、既存住宅の耐震補強工事は、居住中であることもあって、できるだけ短期間に施工でき、且つ、低コストであることが望ましいので、建物の外壁を壊すなどの施工はせず、図１のように、室内側から内壁材を取り外して梁など横架材１と柱２の結合個所を露出させ、必要な施工をする。しかし、内壁を外しただけの状況で施工すると、例えば、柱２と梁などの横架材１との接合個所は天井裏空間となるが、天井材３を残しているために、この個所へ引き抜き抵抗金物を取り付ける施工は、外壁４との間のわずかな隙間（間柱５の幅寸法）から金物６や工具７を差し入れて行わなければならない。この作業は、作業個所を完全に見通しながら行うのが困難なため、ほとんど盲作業に近いものとなる上、作業空間が狭く施工は困難を極める。
【０００４】
【特許文献１】特開２００３−９６９１６号公報
【特許文献２】特開２００１−１０７４５７号公報
【考案の開示】
【考案が解決しようとする課題】
【０００５】
本考案は、室内側から行う既存木造軸組み住宅の耐震補強工事において、天井裏のような狭い空間に位置する横架材と柱の接合個所に対しても簡単に取り付けることができる補強金物（引き抜き抵抗金物）の提供を課題とする。
【課題を解決するための手段】
【０００６】
木造軸組み住宅において、横架材と柱との接合個所に用いる補強金物であって、横架材側部材と柱側部材とをボルト・ナットなどで回転可能に軸支してある。
横架材側部材は、横架材（例えば、梁，胴差）に固定する水平部と、水平部の一面から垂直に突出した結合部を有する。
柱側部材は、柱に固定する垂直部と、垂直部の長軸方向一端部から側方に張り出した腕部を有する。
結合部と腕部を重ねてボルト・ナットなどの回転可能に軸支できる手段によって連結する。したがって、水平部と、結合部及び腕部と、垂直部は互いに直角な配置となる。
【０００７】
前記の水平部は結合部の両側へ張り出した構造とすることがある。
垂直部は柱に当接する固定面とその面から側方へ突出する補強面を備えたＬ形チャンネルの構造とし、前記腕部は垂直部の補強面から一体にさらに側方へ張り出した構造とすることがある。
垂直部を柱へ固定するねじ孔は、水平部から天井裏の深さを超えた位置に形成されていることがある。
柱側部材に対して横架材側部材は回転可能であるが、取付け時の便宜のために横架材側部材が過度に傾斜、回転しないようにする。例えば、横架材側部材が水平状態に対して傾斜できる範囲を４５°以内に制限する。このために、ボルト・ナットの締め付け具合を調整したり、柱側部材の腕部の一部が横架材側部材の傾斜した水平部の下面に当接して、それ以上の傾斜を阻止する構造などを設ける。
【考案の効果】
【０００８】
横架材と柱との接合個所が天井裏にあり、かつ、狭い作業空間であっても、補強金物の垂直部を持って差し上げることにより、水平部を狭い入り口から差し込んで横架材に当接させることができる。また，その状態で水平部を横架材へビス止めすることができるので、外壁を取り外すことなく、屋内側から行う既存木造軸組み住宅の耐震補強工事であっても作業し易い。
この補強金物自体が横架材に固定する横架材側部材と、柱に固定する柱側部材を別体としてボルト・ナットなどで回転可能に軸支して連結した構造なので、横架材と柱の接合個所では、柱に対する引抜きに対して大きな耐力を発揮しながら、柱の傾斜には追随する柔構造を形成し、地震時に住宅の軸組みが倒壊する危険を回避することができる。特に柱側部材が長い場合、横架材側部材に対するてこの作用が大きくなり、柱側部材に対して横架材側部材が過度の剛構造であると、柱が傾斜したときに柱側部材と横架材側部材との境界部分に亀裂を生じたり、横架材側のビスを引き抜いてしまうことがあるが、柱側部材に対して横架材側部材を回転可能な柔構造とすることによって、このような事故を防止することができる。
【考案を実施するための最良の形態】
【０００９】
〔実施例１〕
図２は、木造軸組み工法住宅において、横架材１（梁）と柱２が結合された個所であり、本発明の補強金物８により補強されている。
補強金物８（図３）は、横架材側部材９と柱側部材１０及びこれらを回転可能に軸支するためのボルト１１・ナット１２を備える。横架材側部材９と柱側部材１０は２．３ｍｍ厚の亜鉛鉄板からプレスによる打ち抜きと曲げ加工で形成された強靭な金物である。
横架材側部材９（図３）は、長方形に打ち抜いた１枚の金属板を中央から折り曲げて重ね、さらに、両端を開いて側面視でＴ字形となるようにしたものであり、水平部１３と結合部１４を有する。結合部１４は、水平部１３の下面から直角に突出し、水平部１３が結合部１４の両側に張り出している。結合部１４の柱側となる辺は、下部が外側へ（柱から離れる方向）に傾斜している。この実施例において、横架材側部材９の上下寸法は４５ｍｍ、左右寸法（梁１の長手方向の寸法）は６５ｍｍ、水平部１１の片側の張り出し幅（前後方向寸法は１７．７ｍｍである。水平部１３にはねじ孔１５が両側で２個ずつ形成され、また，結合部１４に接続用孔１６が形成されている。
【００１０】
柱側部材１０（図３）は、垂直部１７と腕部１８を有する。
垂直部１７は、取り付け壁１９とその長辺から直角に側方へ突出した補強壁２０を備えた断面Ｌ字形のチャンネル形材様であり、補強壁２０の上端を斜め上方に拡大して前記の腕部１８としてある。腕部１８には接続用孔２１が形成されている。腕部１８の上端辺は横架材側部材９の水平部１３の下面から間隔ｄ１をとって位置し（図４）横架材側部材９が回転（傾斜）したとき、それ以上の傾斜を阻止するストッパーとなる位置にある。すなわち、横架材側部材９は垂直な柱側部材１０に対して、所定角度（例えば２０°）以上回転しないようにされている。また、横架材側部材９の柱側端縁は、この補強金物が横架材１と柱２とのコーナー部に取り付けられたとき、柱２との間に間隔ｄ２（図２）を有する寸法とする。この実施例において、取り付け壁１９の上下寸法４５５ｍｍ、幅２５ｍｍであり、接続用孔２１の中心は取り付け壁１９の面から４５ｍｍ側方に離れ、また、腕部１８の上端は、取り付け壁１９の上端よりも５０ｍｍ高い位置となっている。すなわち、柱側部材１０の上下寸法（長さ）は天井裏寸法よりも充分に長くしてある。
取り付け壁１９の下端寄りに４個のねじ孔２２が形成されている。
【００１１】
横架材側部材９と柱側部材１０は、結合部１４と腕部１８を重ね、接続用孔１６、２１に通したボルト１１・ナット１２で連結する。水平部１３と、結合部１４及び腕部１８と、さらに垂直部１７の取り付け壁１９とは互いに直角を成す配置となる。
【００１２】
補強金物８は、次のように取り付けられる。
横架材側部材９の水平部１３を上に向けて柱側部材１０の垂直部１７を片手に持つ。あらかじめ内壁材を除去した壁の天井と柱２との間から、補強金物８を差し上げるようにして天井裏に差し込み、横架材１と柱２との接合個所における横架材１の下面に水平部１３を当て付ける。片手で垂直部１７を保持しながら、水平部１３をねじ孔１５に通したビスで固定し、ついで、垂直部１７の取り付け壁１９を柱２の側面に固定する。この作業は、作業空間が狭くても水平部１３を位置決めするために腕を天井空間の奥まで差し込む必要がなく、ドライバーのビットに長いものを利用すれば、見通しもよく比較的簡単に行える。
【００１３】
垂直部１０の取り付け壁１９を柱２へ固定するには側方からドライバーを操作する必要があるが、取り付け壁１９のねじ孔２２は、長い垂直部１０の下部にあるので、狭い作業空間であってもその入り口付近で作業ができ、困難な作業とはならない。
また、前記水平部１３を横架材１の下面に工具を用いてビス止めするときも、水平部１３は結合部１４の前後両側にあるから、左の入隅，右の入隅のいずれであっても、手前側に確実に固定できる部分があるので，水平部１３の取り付けを確実に行える。このとき、垂直な柱側部材１０に対して横架材側部材９は前記のように、回転できる範囲が制限されているので、この補強金物を取り付けるときに、横架材側部材が半回転して水平部１３を横架材１の下面へ当て付けるのが困難になったり、ねじ孔１５へビス差し込めなくなる事態を避けることができる。
【００１４】
以上のようにして、天井裏に位置する横架材１と柱２との接合個所が補強金物８で補強される。これにより、この個所の軸組みは、引き抜き耐力の大きなものになる。一方、その際、柱の傾斜が伴っても、水平部１３と垂直部１０がボルト１１・ナット１２を軸に回転できるので、柱にせん断力や曲げせん断力の応力が集中するのを防止し、補強金物８の変形や柱２及び梁１の破損が回避される。
なお、横架材側部材９の柱側端縁と柱２との間には間隔ｄ２を形成してあり、又、その結合部１４の柱側は外側下方へ傾斜させてあるので、横架材１がほぼ水平なまま柱２が傾斜しても、横架材側部材９が柱頭部に食い込んでこの部分を損傷してしまうのを防止できる。
【００１５】
〔実施例２〕
図５は実施例２を示し、実施例１とは柱側部材１０の構造が異なる。他の構成は、実施例１（図３）と格別に異なるところはなく、対応する個所に同じ符号を用いて説明を省略する。
柱側部材１０において、腕部１８は垂直部１７における補強壁２０の上端を側方へ平行に変位させて延長してあり、上端部に接続用孔２１を形成してある。取り付け壁１９の表面と接続用孔２１の中心間の距離は３５ｍｍである。天井裏の横架材１と柱２の接合個所への取り付け手順は、実施例１の場合と同じである。この場合も、腕部１８の上端辺と横架材側部材９の水平部１３との間に間隔ｄ２があり、横架材側部材９の傾斜が制限されている。
【００１６】
以上は実施例である。説明では、各部材の位置関係を明確にするために上下、左右、垂直、水平を規定して説明したが、相対的なものであり、上下方向は例えば、横架材１の長手方向に平行な左右方向となることもある。この場合、補強金物８を利用する接合個所は、梁と桁あるいは胴差との接合個所ということになる。
横架材側部材９は、金属板をＬ字状に折り曲げて水平部１３と結合部１４を形成した、水平部１３が結合部１４の片側にあるものとしてもよい。使用するときには、これを一個、水平部１３を手前側とする配置で用いても良いし、２枚を対照に結合部を重ねて用いても良い。
この補強金物８は、既存木造軸組み住宅の耐震補強ばかりでなく、既存，新築を問わず、木造建築物において直交する二つの構造材の接合個所を補強するのに用いることができる。
柱側部材に対して横架材側部材が回転（傾斜）できる角度は水平から１０〜２０°くらいが適切であるが、４５°以下であれば実用できる。
ねじはビス、ラグスクリュー等を意味する。
【図面の簡単な説明】
【００１７】
【図１】従来の金物による施工状態を説明するための図。
【図２】補強金物（実施例１）の取付け状態を示す正面図。
【図３】補強金物（実施例１）の斜視図。
【図４】横架材側部材が傾斜した状態を示す正面図。
【図５】補強金物の斜視図（実施例２）。
【符号の説明】
【００１８】
１  梁（横架材）
２  柱（柱）
３  天井材
４  外壁
５  間柱
６  金物
７  工具
８  補強金物
９  横架材側部材
１０  柱側部材
１１  ボルト
１２  ナット
１３  水平部
１４  結合部
１５  ねじ孔
１６  接続用孔（横架材側部材の）
１７  垂直部
１８  腕部
１９  取り付け壁
２０  補強壁
２１  接続用孔（柱側部材の）
２２  ねじ孔
【図１】
0003123531.tif 000003
【図２】
0003123531.tif 000004
【図３】
0003123531.tif 000005
【図４】
0003123531.tif 000006
【図５】
0003123531.tif 000007